(57)【特許請求の範囲】
【請求項１】
外気を利用して内部の電装品を空冷するようにした電装収納箱の側壁に設けられて前記空冷用の外気を流通させる通気口の構造であって、
該通気口の前面を所要間隔を隔てて遮蔽するように前記電装収納箱の側壁下部から立ち上がる第一の被覆カバーと、
該第一の被覆カバーの上端に対し所要間隔を隔てて上方から被さるように前記電装収納箱の上部から張り出して前記通気口の上端より低く垂れ下がる第二の被覆カバーとを備え、
該第二の被覆カバーの下端と前記通気口の上端とを結ぶ直線より高く前記第一の被覆カバーの上端を立ち上げ、
且つ前記第二の被覆カバーにおける前記第一の被覆カバーの上端上方に被さる部位に、電装収納箱の外部に向け上り勾配の傾斜面を付したことを特徴とする電装収納箱の通気口構造。
【請求項２】
第一の被覆カバーと電装収納箱の側壁との間に侵入水を貯え得る貯留空間を形成し且つ該貯留空間に水抜き孔を設けたことを特徴とする請求項１に記載の電装収納箱の通気口構造。
【請求項３】
通気口下部から電装収納箱の内部に向かって立ち上がる第三の被覆カバーを備えたことを特徴とする請求項１又は２に記載の電装収納箱の通気口構造。
【発明の詳細な説明】
【技術分野】
【０００１】
本発明は、電装収納箱の通気口構造に関するものである。
【背景技術】
【０００２】
近年、ディーゼル−電気ハイブリッドエンジンの開発が進められているが、この種のディーゼル−電気ハイブリッドエンジンは、ディーゼルエンジンのフライホイールハウジング内に超薄型の三相交流機を内蔵させ、エンジンの起動時には三相交流機をスタータとして作動させ、車両の発進加速時には三相交流機をトルクアシスト用モータとして作動させ、車両の制動時には三相交流機を電気ブレーキとして作動させることによって、三相交流機にディーゼルエンジンの補佐をさせ、ディーゼルエンジンの負担を軽減して、燃費の向上を図り且つディーゼルエンジンによる大気汚染物質の排出量を低減させるようにしたものである。
【０００３】
このようなディーゼル−電気ハイブリッドエンジンを搭載したハイブリッド自動車においては、モータ駆動用のバッテリ（ニッケル水素電池）を搭載する必要があり、しかも、このバッテリを効率良く空冷し得るようにしなければならないが、特にハイブリッド自動車がキャブオーバトラック等である場合には、バッテリをキャブ側に搭載することがスペース的に困難であるため、図４に示す如く、バッテリを収容したバッテリパック１（電装収納箱）をシャシフレーム２に対しブラケット３を介して架装させるようにしている。
【０００４】
図５に示す如く、前記バッテリパック１の内部には、多数のバッテリセル４ａから成るバッテリ４（電装品）が収容されており、吸気口５から取り込んだ外気６をインテークダクト７のＵ字型流路を通してブロワ８に導き、該ブロワ８からバッテリ４の直下に流し込んで各バッテリセル４ａ間を通し上方へ抜き出すことでバッテリ４を強制的に空冷するようにしており、各バッテリセル４ａ間を通し上方へ抜き出た外気６は、吸気口５と反対側のバッテリパック１の側壁１ａに開口された排気口９（通気口）から外部へ排出されるようになっている。
【０００５】
尚、この種のバッテリパック１に関連する先行技術文献情報としては下記の特許文献１等がある。
【先行技術文献】
【特許文献】
【０００６】
【特許文献１】特開２００８−８０９３０号公報
【発明の概要】
【発明が解決しようとする課題】
【０００７】
しかしながら、排気口９をバッテリパック１の側壁１ａに開口しただけでは、冠水路等を渡渉する際に、タイヤが跳ね上げた水が排気口９からバッテリパック１内に侵入してバッテリ４が損傷する虞れがあるため、排気口９からバッテリ４までの距離を長く確保して水が入り難くすることが望ましいが、配置スペースに余裕がない場合には、そのような構造を採用することが難しいという問題があった。
【０００８】
本発明は上述の実情に鑑みてなしたもので、大きな配置スペースを必要とすることなくコンパクトな構造で水の侵入を防ぎ得る電装収納箱の通気口構造を提供することを目的とする。
【課題を解決するための手段】
【０００９】
本発明は、外気を利用して内部の電装品を空冷するようにした電装収納箱の側壁に設けられて前記空冷用の外気を流通させる通気口の構造であって、該通気口の前面を所要間隔を隔てて遮蔽するように前記電装収納箱の側壁下部から立ち上がる第一の被覆カバーと、該第一の被覆カバーの上端に対し所要間隔を隔てて上方から被さるように前記電装収納箱の上部から張り出して前記通気口の上端より低く垂れ下がる第二の被覆カバーとを備え、該第二の被覆カバーの下端と前記通気口の上端とを結ぶ直線より高く前記第一の被覆カバーの上端を立ち上げ、且つ前記第二の被覆カバーにおける前記第一の被覆カバーの上端上方に被さる部位に、電装収納箱の外部に向け上り勾配の傾斜面を付したことを特徴とするものである。
【００１０】
而して、このようにすれば、冠水路等を渡渉するような場合に、電装収納箱の通気口に対しタイヤにより水が跳ね上げられたとしても、その跳ね上げられた水は、第一の被覆カバーと第二の被覆カバーと通気口の上部とが成す三重のラビリンス構造により電装収納箱内への侵入を阻まれる、即ち、第一の被覆カバー、第二の被覆カバー、通気口の上部の何れかにより堰き止められて通気口に直接的に侵入することができなくなるため、電装収納箱内へ水が侵入し難くなって電装品が侵入水から保護されることになる。しかも、第一の被覆カバーと第二の被覆カバーとの間に下方から水が跳ね上がった際に、その水が前記第二の被覆カバーの傾斜面に衝突して電装収納箱の外部へ向かうように落とされるため、電装収納箱内への水の侵入がより一層防止されることになる。
【００１１】
また、本発明においては、第一の被覆カバーと電装収納箱の側壁との間に侵入水を貯え得る貯留空間を形成し且つ該貯留空間に水抜き孔を設けることが好ましく、このようにすれば、下方から急角度で跳ね上がった水が、第一の被覆カバーと第二の被覆カバーとの間を通過し、通気口が開口している電装収納箱の側壁まで到達したとしても、その水は通気口の手前で貯留空間に一時的に貯留されることになり、この貯留空間の容積が水で満たされて通気口の高さまで水位が上昇するまで時間を稼いで水の侵入を防ぐことが可能となる。
【００１２】
そして、貯留空間の容積が水で満たされて通気口の高さまで水位が上昇するまでの間に車両が冠水路等を渡渉し終えれば、貯留空間に溜まった水が水抜き孔から抜け出て水位が下がり、最終的に貯留空間が空になって通気口に水が侵入する虞れが解消されることになる。
【００１４】
また、通気口下部から電装収納箱の内部に向かって立ち上がる第三の被覆カバーを備えれば、第一の被覆カバーと第二の被覆カバーと通気口の上部と共に四重のラビリンス構造を構成することが可能となり、通気口に侵入した水も第三の被覆カバーで堰き止めて電装収納箱内への侵入を防ぐことが可能となる。
【００１５】
しかも、第一の被覆カバーと電装収納箱の側壁との間に侵入水を貯え得る貯留空間を形成している場合には、第三の被覆カバーを利用することで貯留可能な水の容積を増やすことも可能となる。
【発明の効果】
【００１６】
上記した本発明の電装収納箱の通気口構造によれば、下記の如き種々の優れた効果を奏し得る。
【００１７】
（Ｉ）本発明の請求項１に記載の発明によれば、第一の被覆カバーと第二の被覆カバーと通気口の上部とが成すコンパクトな三重のラビリンス構造により大きな配置スペースを必要とすることなく電装収納箱内への水の侵入を防ぐことができ、該電装収納箱内に収容された電装品を侵入水から保護することができる。しかも、第一の被覆カバーと第二の被覆カバーとの間に下方から跳ね上がった水を前記第二の被覆カバーの傾斜面に衝突させて電装収納箱の外部へ向けて落とすことができるので、電装収納箱内への水の侵入をより一層防止することができる。
【００１８】
（ＩＩ）本発明の請求項２に記載の発明によれば、第一の被覆カバーと第二の被覆カバーとの間を通過して電装収納箱の側壁まで水が到達したとしても、その水を通気口の手前で貯留空間に一時的に貯留することにより、この貯留空間の容積が水で満たされて通気口の高さまで水位が上昇するまで時間を稼いで通気口への水の侵入を防ぐことができる。
【００２０】
（ＩＩＩ）本発明の請求項３に記載の発明によれば、第一の被覆カバーと第二の被覆カバーと通気口の上部と共に四重のラビリンス構造を構成することができるので、通気口に侵入した水も第三の被覆カバーで堰き止めて電装収納箱内への侵入を防ぐことができ、しかも、第一の被覆カバーと電装収納箱の側壁との間に侵入水を貯え得る貯留空間を形成している場合には、第三の被覆カバーを利用することで貯留可能な水の容積を増やすことができる。
【図面の簡単な説明】
【００２１】
【図１】本発明を実施する形態の一例を示す断面図である。
【図２】図１の構造の一部を分解して示す斜視図である。
【図３】図１の第二の被覆カバーの外観を示す斜視図である。
【図４】ハイブリッド自動車のバッテリパックの斜視図である。
【図５】図４のバッテリパックの内部の様子を示す斜視図である。
【発明を実施するための形態】
【００２２】
以下本発明の実施の形態を図面を参照しつつ説明する。
【００２３】
図１〜図３は本発明を実施する形態の一例を示すもので、図４及び図５と同一の符号を付した部分は同一物を表わしている。
【００２４】
図１に示す如く、本形態例においては、前述した図４及び図５と同様に構成したバッテリパック１（電装収納箱）に関し、該バッテリパック１の側壁１ａに開口した排気口９（通気口）の前面を所要間隔を隔てて遮蔽するように前記バッテリパック１の側壁１ａ下部から立ち上がる被覆カバー１０（第一の被覆カバー）と、該被覆カバー１０の上端に対し所要間隔を隔てて上方から被さるように前記バッテリパック１の上部から張り出して前記排気口９の上端より低く垂れ下がる被覆カバー１１（第二の被覆カバー）と、排気口９下部からバッテリパック１の内部に向かって立ち上がる被覆カバー１２（第三の被覆カバー）とが新たに備えられており、しかも、前記被覆カバー１１の下端と前記排気口９の上端とを結ぶ直線ｘより高く前記被覆カバー１０の上端が立ち上がるようにしてある。
【００２５】
ここで、前記被覆カバー１０は、図２に斜視図で示す如き三つの排気口９を網羅し得るよう横長に形成されたポケット型の形状を有しており、前記被覆カバー１０とバッテリパック１の側壁１ａとの間には、侵入水を貯え得る貯留空間１３が形成されるようになっていると共に、該貯留空間１３の底部には、ここに貯えた水を随時抜き出し得るよう水抜き孔１４が穿設されている。
【００２６】
また、前記被覆カバー１１の外観は、図３に斜視図で示す通りであり、バッテリパック１の側壁１ａ上端と上部カバー１ｂの外縁とを締結するためのフランジ重合部（図１参照）を利用して取り付けられるようになっており、しかも、この被覆カバー１１における前記被覆カバー１０の上端上方に被さる部位には、バッテリパック１の外部に向け上り勾配の傾斜面１１ａ（図１参照）が付されており、ここに衝突した水をバッテリパック１の外部へ向けて落とし得るようにしてある。
【００２７】
更に、前記被覆カバー１２の外観は、図２に斜視図で示す通りであり、ここに図示している例では、三つの排気口９にバッテリパック１の外側から内側へ挿入して該バッテリパック１内で排気口９の上端より高く立ち上がるようにした三つの被覆カバー１２を一枚のベースプレート１５で一体的に連結した形状となっており、このベースプレート１５をバッテリパック１の側壁１ａ外面に取り付けるようにしてある。
【００２８】
ここで、前記各被覆カバー１２は、その両側に堰板１２ａ（図２参照）を備えたバケット型の形状となっており、その上方に立ち上がる面の両側にバッテリパック１内に通じる隙間ができないように考慮されている。
【００２９】
尚、図２に示している通り、バッテリパック１の排気口９が開口している側壁１ａに対しシャシフレーム２を極力近づけて配置することにより、跳ね上げ水の一部をシャシフレーム２により遮蔽して、バッテリパック１へ向かう跳ね上げ水を減らす効果が得られることは勿論である。
【００３０】
而して、このようにすれば、冠水路等を渡渉するような場合に、バッテリパック１の排気口９に対しタイヤにより水が跳ね上げられたとしても、その跳ね上げられた水は、被覆カバー１０と被覆カバー１１と排気口９の上部とが成す三重のラビリンス構造によりバッテリパック１内への侵入を阻まれる、即ち、被覆カバー１０、被覆カバー１１、排気口９の上部の何れかにより堰き止められて排気口９に直接的に侵入することができなくなるため、バッテリパック１内へ水が侵入し難くなってバッテリ４（電装品）が侵入水から保護されることになる。
【００３１】
この際、下方から急角度で跳ね上がった水が、被覆カバー１０と被覆カバー１１との間を通過し、排気口９が開口しているバッテリパック１の側壁１ａまで到達したとしても、その水は排気口９の手前で貯留空間１３に一時的に貯留されることになり、この貯留空間１３の容積が水で満たされて排気口９の高さまで水位が上昇するまで時間を稼いで水の侵入を防ぐことが可能となる。
【００３２】
そして、貯留空間１３の容積が水で満たされて排気口９の高さまで水位が上昇するまでの間に車両が冠水路等を渡渉し終えれば、貯留空間１３に溜まった水が底部の水抜き孔１４から抜け出て水位が下がり、最終的に貯留空間１３が空になって排気口９に水が侵入する虞れが解消されることになる。
【００３３】
また、被覆カバー１１における被覆カバー１０の上端上方に被さる部位には、バッテリパック１の外部に向け上り勾配の傾斜面１１ａが付されているので、被覆カバー１０と被覆カバー１１との間に下方から水が跳ね上がった際に、その水が前記被覆カバー１１の傾斜面１１ａに衝突してバッテリパック１の外部へ向かうように落とされ、バッテリパック１内への水の侵入がより一層防止されることになる。
【００３４】
更に、特に本形態例の場合には、排気口９下部からバッテリパック１の内部に向かって立ち上がる被覆カバー１２も備えられているので、被覆カバー１０と被覆カバー１１と排気口９の上部と共に四重のラビリンス構造が構成されることになり、排気口９に侵入した水も被覆カバー１２で堰き止めてバッテリパック１内への侵入を防ぐことが可能となると共に、この被覆カバー１２を利用することで前記貯留空間１３に貯留可能な水の容積を増やすことも可能となる。
【００３５】
従って、上記形態例によれば、被覆カバー１０と被覆カバー１１と排気口９の上部とが成すコンパクトな三重のラビリンス構造により大きな配置スペースを必要とすることなくバッテリパック１内への水の侵入を防ぐことができ、また、被覆カバー１０と被覆カバー１１との間を通過してバッテリパック１の側壁１ａまで水が到達したとしても、その水を排気口９の手前で貯留空間１３に一時的に貯留することにより、この貯留空間１３の容積が水で満たされて排気口９の高さまで水位が上昇するまで時間を稼いで排気口９への水の侵入を防ぐことができ、バッテリパック１内に収容された電装品を侵入水から保護することができる。
【００３６】
更に、被覆カバー１０と被覆カバー１１との間に下方から跳ね上がった水を前記被覆カバー１１の傾斜面１１ａに衝突させてバッテリパック１の外部へ向けて落とすことができるので、バッテリパック１内への水の侵入をより一層防止することができる。
【００３７】
また、被覆カバー１２を更に加えることで四重のラビリンス構造を構成することができるので、排気口９に侵入した水も被覆カバー１２で堰き止めてバッテリパック１内への侵入を防ぐことができ、しかも、被覆カバー１２を利用することで前記貯留空間１３に貯留可能な水の容積を増やすこともできる。
【００３８】
尚、本発明の電装収納箱の通気口構造は、上述の形態例にのみ限定されるものではなく、形態例中では空冷用の外気を排気するための排気口の場合で例示しているが、吸気口側に適用することも可能であること、電装収納箱は必ずしもハイブリッド自動車のバッテリパックに限定されないこと、その他、本発明の要旨を逸脱しない範囲内において種々変更を加え得ることは勿論である。
【符号の説明】
【００３９】
１  バッテリパック（電装収納箱）
１ａ  側壁
４  バッテリ（電装品）
６  外気
９  排気口（通気口）
１０  被覆カバー（第一の被覆カバー）
１１  被覆カバー（第二の被覆カバー）
１１ａ  傾斜面
１２  被覆カバー（第三の被覆カバー）
１３  貯留空間
１４  水抜き孔
【図１】
0005530328.tif 000002
【図２】
0005530328.tif 000003
【図３】
0005530328.tif 000004
【図４】
0005530328.tif 000005
【図５】
0005530328.tif 000006